(57)【要約】【課題】  本発明は、くし型若しくは網目状の電極を用いて全面を高効率に利用した発光表示を可能とする発光表示装置及びその駆動方法を提供することを目的とする。【解決手段】  本発明は、複数画素に対し共通して設けられる第１電極を有する第１基板と、画素毎に設けられるくし型の複数の第２電極を、第１基板に対向する面に有する第２基板と、第１基板と第２基板との間に配置され、電気化学的な酸化若しくは還元によりカチオンラジカル分子及びアニオンラジカル分子が生成し電気化学発光する発光材料を含む発光層と、カチオンラジカル分子及びアニオンラジカル分子の内、短寿命なラジカル分子が第１電極付近で生成するように、第１電極と第２電極との間に電圧を印加する駆動手段とを具備することを特徴とする発光表示装置を提供する。【選択図】  図１
2005294066.tif 000002
【特許請求の範囲】
【請求項１】
複数画素に対し共通して設けられる第１電極を有する第１基板と、
画素毎に設けられるくし型の複数の第２電極を、前記第１基板に対向する面に有する第２基板と、
前記第１基板と前記第２基板との間に配置され、電気化学的な酸化若しくは還元によりカチオンラジカル分子及びアニオンラジカル分子が生成し電気化学発光する発光材料を含む発光層と、
前記カチオンラジカル分子及び前記アニオンラジカル分子の内、短寿命なラジカル分子が前記第１電極付近で生成するように、前記第１電極と前記第２電極との間に電圧を印加する駆動手段と
を具備することを特徴とする発光表示装置。
【請求項２】
前記第２電極は、複数の櫛歯を組合せた形状であることを特徴とする請求項１記載の発光表示装置。
【請求項３】
複数画素に対し共通して設けられる第１電極を有する第１基板と、
画素毎に設けられる網目状の複数の第２電極を、前記第１基板に対向する面に有する第２基板と、
前記第１基板と前記第２基板との間に配置され、電気化学的な酸化若しくは還元によりカチオンラジカル分子及びアニオンラジカル分子が生成し電気化学発光する発光材料を含む発光層と、
前記カチオンラジカル分子及び前記アニオンラジカル分子の内、短寿命なラジカル分子が前記第１電極付近で生成するように、前記第１電極と前記第２電極との間に電圧を印加する駆動手段と
を具備することを特徴とする発光表示装置。
【請求項４】
複数画素に対し共通して設けられる第１電極を有する第１基板と、
画素毎に設けられるくし型の複数の第２電極を、前記第１基板に対向する面に有する第２基板と、
前記第１基板と前記第２基板との間に配置され、電気化学的な酸化若しくは還元によりカチオンラジカル分子及びアニオンラジカル分子が生成し電気化学発光する発光材料を含む発光層と、
前記第１電極と前記第２電極との間に電圧を印加する駆動手段とを具備し、
前記カチオンラジカル分子及び前記アニオンラジカル分子の内、短寿命なラジカル分子が前記第１電極付近で生成するように電圧を印加することを特徴とする発光表示装置の駆動方法。
【請求項５】
前記第２電極は、複数の櫛歯を組合せた形状であることを特徴とする請求項４記載の発光表示装置の駆動方法。
【請求項６】
複数画素に対し共通して設けられる第１電極を有する第１基板と、
画素毎に設けられる網目状の複数の第２電極を、前記第１基板に対向する面に有する第２基板と、
前記第１基板と前記第２基板との間に配置され、電気化学的な酸化若しくは還元によりカチオンラジカル分子及びアニオンラジカル分子が生成し電気化学発光する発光材料を含む発光層と、
前記第１電極と前記第２電極との間に電圧を印加する駆動手段とを具備し、
前記カチオンラジカル分子及び前記アニオンラジカル分子の内、短寿命なラジカル分子が前記第１電極付近で生成するように電圧を印加することを特徴とする発光表示装置の駆動方法。
【発明の詳細な説明】
【技術分野】
【０００１】
本発明は、発光表示装置及びその駆動方法に関する。
【背景技術】
【０００２】
電極間に電圧を印加することで電気化学的に発光するエレクトロケミルミネッセンス（ＥＣＬ）材料は、液晶ディスプレイやプラズマディスプレイとは異なる発光モードのディスプレイを作成できる。発光モードを利用するディスプレイに要求される主な性能に、輝度の高さと、発光効率がある。現在、普及の一途をたどる携帯電話は、屋外での使用が多いため、太陽光下でも視認可能な輝度が要求されている。また、乾電池を始めとする携帯型の電源を用いることが主となるため、発光効率は極めて重要となっている。
【０００３】
ＥＣＬ材料の発光メカニズムは、ＥＣＬ分子が、対向する電極上でカチオンラジカル分子、あるいはアニオンラジカル分子となることから始まる。ラジカル分子は互いに反対の電極に引き寄せられ、電極に到達する前に、カチオンラジカル分子とアニオンラジカル分子が衝突して励起状態の分子と基底状態の分子が生成される。この時、励起状態の分子が基底状態の分子に戻る際に発光が伴うことを利用して、発光ディスプレイとして用いることができる。
【０００４】
ＥＣＬ材料を発光ディスプレイとして用いる場合の電極配置として、同一平面上に一対のくし型電極を配置する提案がなされている（例えば、非特許文献１参照）。しかしながら、電極の端部では発光が確認できるものの、電極の中ほどでの発光輝度は極めて弱いという問題があった。また、対向する一対の平面電極を配置する構造もあるが、この場合も高い発光輝度を得ることが出来なかった。
【非特許文献１】H. Schaper, H. Kostlin, E. Schnedler, J. Electrochem. Soc. Solid-STATE SCIENCE and TECHNOLOGY, Vol.129, 1289-1294 (1982)
【発明の開示】
【発明が解決しようとする課題】
【０００５】
この問題に鑑み、本発明は、くし型若しくは網目状の電極を用いて全面を高効率に利用した発光表示を可能とする発光表示装置及びその駆動方法を提供することを目的とする。
【課題を解決するための手段】
【０００６】
そこで本発明は、複数画素に対し共通して設けられる第１電極を有する第１基板と、画素毎に設けられるくし型の複数の第２電極を、第１基板に対向する面に有する第２基板と、第１基板と第２基板との間に配置され、電気化学的な酸化若しくは還元によりカチオンラジカル分子及びアニオンラジカル分子が生成し電気化学発光する発光材料を含む発光層と、カチオンラジカル分子及びアニオンラジカル分子の内、短寿命なラジカル分子が第１電極付近で生成するように、第１電極と第２電極との間に電圧を印加する駆動手段とを具備することを特徴とする発光表示装置を提供する。
【０００７】
本発明においては、第２電極は、複数の櫛歯を組合せた形状であっても良い。
【０００８】
また本発明は、複数画素に対し共通して設けられる第１電極を有する第１基板と、画素毎に設けられる網目状の複数の第２電極を、第１基板に対向する面に有する第２基板と、第１基板と第２基板との間に配置され、電気化学的な酸化若しくは還元によりカチオンラジカル分子及びアニオンラジカル分子が生成し電気化学発光する発光材料を含む発光層と、カチオンラジカル分子及びアニオンラジカル分子の内、短寿命なラジカル分子が第１電極付近で生成するように、第１電極と第２電極との間に電圧を印加する駆動手段とを具備することを特徴とする発光表示装置を提供する。
【０００９】
また本発明は、複数画素に対し共通して設けられる第１電極を有する第１基板と、画素毎に設けられるくし型の複数の第２電極を、第１基板に対向する面に有する第２基板と、第１基板と第２基板との間に配置され、電気化学的な酸化若しくは還元によりカチオンラジカル分子及びアニオンラジカル分子が生成し電気化学発光する発光材料を含む発光層と、第１電極と第２電極との間に電圧を印加する駆動手段とを具備し、カチオンラジカル分子及びアニオンラジカル分子の内、短寿命なラジカル分子が第１電極付近で生成するように電圧を印加することを特徴とする発光表示装置の駆動方法を提供する。
【００１０】
本発明においては、第２電極は、複数の櫛歯を組合せた形状であっても良い。
【００１１】
また本発明は、複数画素に対し共通して設けられる第１電極を有する第１基板と、画素毎に設けられる網目状の複数の第２電極を、第１基板に対向する面に有する第２基板と、第１基板と第２基板との間に配置され、電気化学的な酸化若しくは還元によりカチオンラジカル分子及びアニオンラジカル分子が生成し電気化学発光する発光材料を含む発光層と、第１電極と第２電極との間に電圧を印加する駆動手段とを具備し、カチオンラジカル分子及びアニオンラジカル分子の内、短寿命なラジカル分子が第１電極付近で生成するように電圧を印加することを特徴とする発光表示装置の駆動方法を提供する。
【発明の効果】
【００１２】
本発明によれば、くし型若しくは網目状の電極を用いて全面を高効率に利用した発光表示を可能とする発光表示装置及びその駆動方法を提供することが出来る。
【発明を実施するための最良の形態】
【００１３】
本発明者らが、高効率な発光表示の可能な電極構造、配置について検討したところ、以下のような知見が得られた。
【００１４】
まず、対向する平面電極間にＥＣＬ分子が存在するような画素を作成した場合、電圧を印加しても電極全面で一様に発光せず、電極の端部での発光が主になることがわかった。この場合、端部と同程度の輝度の発光が電極全面で起こることを想定した場合と比較して、発光輝度は低く、発光効率も低いことになる。
【００１５】
電極の端部での発光が主になる原因としては、以下の理由が考えられる。電極近傍でラジカルが生成しもう一方の電極に移動する際、新たにラジカルが生成するためには、ＥＣＬ分子が電極近傍に供給される必要がある。しかし、ベタ電極の場合、電極近傍で発生したラジカルの移動等に伴うＥＣＬ分子や電解質の流れが電極間に発生しており、新たにラジカルになるためのＥＣＬ分子の供給は強い流れが起きていない電極の端部領域でしか行われなくなる。すなわち、電圧が電極全面に一様に印加される系では、ラジカルの生成、移動、及びラジカルになる前のＥＣＬ分子の供給効率が低くなる現象が起こる可能性が高い。
【００１６】
他方、上述したように、同一平面上に一対のくし型電極を配置した場合、電極の端部では発光が確認できるものの、電極の中ほどでの発光輝度は極めて弱いという問題があった。これは上述したのと同様な理由が考えられるが、さらに一対のくし型電極を配置した場合、アノード電極、あるいはカソード電極のいずれかでしか発光が認められないことが分かった。アノード電極、あるいはカソード電極のいずれかでしか発光しない理由としては、一方の電極付近で生成したラジカルが、他方の電極まで移動出来ずに失活することから、他方の電極付近からラジカルが移動してきて一方の電極付近でラジカル同士が衝突し、発光する可能性が高いと考えられる。
【００１７】
そこで本発明者らが検討を重ねた結果、一対の電極を対向して配置させた間に発光材料を配置し、電極の一方をベタ電極、他方をくし型電極若しくは網目状電極として、カチオンラジカル分子及びアニオンラジカル分子の内、短寿命側のラジカル分子がベタ電極で生成するように、電圧を印加することによりこれらの問題を解決できることを見出し、本発明に至った。
【００１８】
つまり、くし型電極若しくは網目状電極とベタ電極とを対向させた場合、双方の電極近傍で発生したラジカル分子が反対側の電極に移動する。このとき、ベタ電極近傍では、短寿命のラジカル分子が生成することからラジカルが実質的に移動出来ない。したがって、ベタ電極近傍では全面にラジカル分子が存在することになる。また、このラジカル分子は短寿命であるので、これが失活してラジカルになる分子の供給源となる。一方、くし型電極若しくは網目状電極近傍ではラジカル分子が移動する強い流れがあるものの、基板上の電極のない部分では弱い流れしかなく、ここから新たにラジカルになる分子を供給することが充分可能となる。そこで、寿命の特に短いラジカルがベタ電極で生成するように直流電圧を印加することにより、電極のない部分が存在するくし型もしくは網型電極ではなく、ベタ電極全面で発光させることが可能となり、輝度、及び発光効率が共に向上することになる。
【００１９】
次に、本発明の第１の実施形態に係る表示装置について図１及び図２を用いて詳細に説明する。
【００２０】
本実施形態の表示装置は、図１に示すように、第１基板２と、第１基板２上に設けられた第１電極４（ベタ電極）と、第１基板２に離間対向して設けられた第２基板１と、第２基板１上に設けられた第２電極３（くし型電極）とを有する。第１電極４は全面に共通して設けられ、画素毎に設けられる第２電極３は画素を長方形とした場合の、長方形の一辺（櫛歯の付け根）１１を残し平行な隙間の間に設けられた櫛歯１２を複数持つくし型に形成されている。
【００２１】
第１基板２と第２基板１との間には、電解質材料中に、電気化学的な酸化若しくは還元によりカチオンラジカル分子及びアニオンラジカル分子が生成し電気化学発光（エレクトロケミルミネッセンス、ＥＣＬ）する発光材料（ＥＣＬ材料）を含む発光層５が設けられる。第１電極４は少なくとも１画素中では隙間無く設けられた平面電極とし、第２電極３は画素毎に１つのくし型を持つくし型電極とし、第１電極４と第２電極３とが重なり合った領域が一つの画素となる。第１電極４は、複数画素で共通としても良く、行または列で共通若しくは全画素で共通としても良い。
【００２２】
そして、図示しない駆動手段により、カチオンラジカル分子及びアニオンラジカル分子の内、短寿命なラジカル分子が第１電極４で生成するように、第１電極４と第２電極３との間に直流電圧を印加する。発光層の材料として用いる、ＥＣＬ材料や電解質等の組合せにより、短寿命なラジカル分子が生成する電極は異なる。これらの材料については後述するが、例えば、発光層が、1,2-ジメトキシエタン溶媒にＥＣＬ材料としてルブレン(5,6,11,12-tetraphenyltetracene)を溶解した溶液で形成されている場合には、ルブレンのカチオンラジカル分子の寿命が特に短いので、カチオンラジカル分子が第２電極３近傍に生成するように第２電極３をアノード電極とし、第１電極４をカソード電極となるようにする。
【００２３】
発光層５には、後述するようなＥＣＬ材料が含まれ、このＥＣＬ材料が電極近傍で酸化されてカチオンラジカル、還元されてアニオンラジカルとなり、この両者が会合消失する際に、励起状態の発光材料が生成し、その失活過程において発光する。しかし、ラジカル状態の分子は、通常はエネルギー的に不安定な状態である。そのため、長期間存在することはできず、溶媒等に電荷を移して、エネルギー的に安定な状態になってしまう。このエネルギーが不安定な状態から安定な状態になることを失活とよび、励起状態になった分子が失活するまでの時間、すなわちエネルギー的に不安定な状態で存在できる時間をラジカルの寿命と本明細書では定義する。
【００２４】
分子の性質、及び環境により、カチオンラジカル、あるいはアニオンラジカルのいずれか一方は、他方と比較してこの寿命が短い。そのため、ＥＣＬ材料を用いた表示装置の場合、一方の電極近傍で生成した寿命の特に短いラジカルは、他方の電極に到達することなく失活してしまうと考えられており、ＥＣＬ発光は寿命の特に短いラジカルが生成する電極近傍で見られるのが一般的である。
【００２５】
これを考慮すると、ＥＣＬ分子が溶解した溶液中に電極を浸して、直流電圧を印加した時に、カソード電極近傍で発光が観測された場合、そのＥＣＬ分子はアニオンラジカルの寿命が特に短いと評価でき、アノード電極近傍で発光が観測された場合、そのＥＣＬ分子はカチオンラジカルの寿命が特に短いと評価できることになる。
【００２６】
次に、本実施形態の表示装置の駆動方法について説明する。
【００２７】
本実施形態の表示装置においては、第１電極４と第２電極３との間に、カチオンラジカル分子及びアニオンラジカル分子の内、短寿命側のラジカル分子が第１電極４で生成するように、直流電圧を印加すればよい。このとき、直流電圧は例えば１Ｖ以上１０Ｖ程度とすれば良い。
【００２８】
本実施形態の表示装置をこのように駆動することにより、上述したように、新たにラジカルになる分子を供給しつつ、第１電極４全面で発光させることが可能となり、輝度、及び発光効率が共に向上することになる。
【００２９】
次に、本実施形態の表示装置に用いられる各構成について詳しく説明する。
【００３０】
画素の大きさを数十μｍ角以上数十ｍｍ角以下程度とした時、第２電極３のくし型パターンのうち、１本の櫛歯１２の幅は、発光層５の厚さ（第１電極４と第２電極３との間の距離）の半分程度から、発光層５の厚さの２倍程度が良い。さらには発光層５の厚さの半分程度から、発光層５の厚さと同程度が望ましい。例えば、発光層５の厚さが８μｍであった場合、電極の幅は４μｍ〜１６μｍが良く、さらには、４μｍ〜８μｍ程度が望ましい。また、櫛歯１２同士の間隔は、櫛歯１２の幅の５分の１から櫛歯１２と同じ幅程度が良く、さらには、５分の１から電極の半分の幅程度が望ましい。例えば、櫛歯１２の幅が、１０μｍであった場合、櫛歯１２同士の間隔は２μｍから１０μｍ程度が良く、さらには、２μｍから５μｍ程度が望ましい。このような間隔で櫛歯１２を配置することにより、ベタ電極と比較して端の形状が多く、ラジカルになる分子を供給しやすい構造になる。また、同様な理由により、第２電極３のうち櫛歯の付け根１１となる部分については、発光層５の厚さが８μｍであった場合、櫛歯の付け根１１の幅は４μｍ〜１６μｍが良く、さらには、４μｍ〜８μｍ程度とすることが好ましい。
【００３１】
第１基板２及び第２基板１はガラス、プラスチック（ＰＥＴ、ＰＥＮ、ＰＥＳ、ＰＣ）等を用いることができる。観測面を第１基板２側とする場合には、第１基板２は可視光領域で吸収が少ない材料を用いることが好ましい。同様に、観測面を第２基板１側とする場合には、第２基板１は可視光領域で吸収が少ない材料を用いることが好ましい。
【００３２】
第１基板２上に設けられる第１電極４、及び第２基板１上に設けられる第２電極３は、透明電極を用いる場合は、金属酸化物半導体では、遷移金属の酸化物、例えば、チタン、ジルコニウム、ハフニウム、ストロンチウム、亜鉛、錫、インジウム、イットリウム、ランタン、バナジウム、ニオブ、タンタル、クロム、モリブデン、タングステンの酸化物、ＳｒＴｉＯ3，ＣａＴｉＯ3，ＢａＴｉＯ3，ＭｇＴｉＯ3、ＳｒＮｂ2Ｏ6のようなペロブスカイト、あるいはこれらの複合酸化物または酸化物混合物、ＧａＮ、等を用いることが出来る。また、反射電極を用いる場合は、Ａｌ、Ａｇ等を用いることが出来る。第１基板２側を観測面とする場合は、第１電極４は透明電極を用いることが好ましい。同様に、第２基板１側を観測面とする場合は、第２電極３は透明電極を用いることが好ましい。
【００３３】
第１電極４の大きさは、開口率を上げるために大きい方が好ましく、櫛歯の付け根１１となる部分と櫛歯１２、櫛歯１２同士の隙間が画素いっぱいに広がっていることが好ましい。同様に、第２電極３の大きさは、開口率を上げるために大きい方が好ましく、全面に形成されていても良い。また、各画素で共通とはしていても、各画素で区切ってもよく、また各列若しくは各行でつながっている形状としても良い。
【００３４】
第１電極４を形成した第１基板２と、第２電極３を形成した第２基板１との間には、ＥＣＬ材料及び電解質を含む発光層５が設けられる。ＥＣＬ材料としては、多環芳香族化合物である、ナフタセン誘導体（ルブレン、5,12-ジフェニルナフタセン）、アントラセン誘導体（9,10-ジフェニルアントラセン）、ペンタセン誘導体（6,10-ジフェニルペンタセン）、ペリフランテン誘導体（ジベンゾテトラ（メチルフェニル）ペリフランテン）、等や、π電子共役高分子である、ポリパラフェニレンビニレン誘導体、ポリチオフェン誘導体、ポリパラフェニレン誘導体、ポリフルオレン誘導体、等や、ヘテロ芳香族化合物である、クマリン等や、キレート金属錯体である、Ru(bpy)32+等や、有機金属化合物である、トリス（2-フェニルピリジン）イリジウム等や、キレートランタノイド錯体などがあげられる。電解質は、溶媒（液体電解質用）、もしくはこの溶媒で膨潤したゲル状の高分子（固体電解質用）と、これに溶解した支持塩とを有する。支持塩は、Tetrabutylammonium perchlorate、ヘキサフルオロりん酸カリウム、Lithium trifluoromethanesulfonate、過塩素酸リチウム、テトラフルオロほう酸テトラ-n-ブチルアンモニウム、tripropyl amine、tetra-n-butylammonium fluoroborate、等があげられる。また、溶媒としては、アセトニトリル、N,N-ジメチルホルムアミド、ジメチルスルホキシド、プロピレンカーボネート、o-ジクロロベンゼン、グリセリン、水、エチルアルコール、プロピルアルコール、ジメチルカーボネート、エチレンカーボネート、γ-ブチロラクトン、NMP、2-メチルテトラヒドロフラン、ベンゼン、トルエン、テトラヒドロフラン、ベンゾニトリル、シクロヘキサン、ノルマルヘキサン、アセトン、ニトロベンゼン、1,3-ジオキソラン、フラン、ベンゾトリフルオリド、1,2-ジメトキシエタン等があげられる。また、ゲル状の高分子としては、ポリアクリルニトリル（PAN）、フッ化ビニリデン（VDF）と６フッ化プロピレン（HFP）の共重合体、ポリエチレンオキシド（PEO）、等があげられる。この発光層５を液体層とする場合は、上述の溶媒に支持塩及びＥＣＬ材料を溶解させて用いれば良く、第１電極４を形成した第１基板２と、第２電極３を形成した第２基板１との間に注入すれば良い。また、発光層５を固体層とする場合は、支持塩と溶媒を含むゲル状高分子の溶液（溶媒多め）を塗布・乾燥で形成すれば良い。
【００３５】
本実施形態の表示装置の作製方法としては、図１に示すように、第１基板２上に第１電極４、及び第２基板１上に第２電極３を形成する。そして、第１基板２と第２基板１を、スペーサー等でギャップを制御して貼り合わせること等を用いることができる。発光層５を液体層とする場合には、発光層５を形成する液体を注入すること等を用いることができる。また、発光層５がゲルなどの固体の場合は、第１基板２上に設けた第１電極４上に発光層５を形成し、第２電極３を設けた第２基板１をスペーサー等でギャップを制御して貼り合わせること等を用いることができる。
【００３６】
次に、第２の実施形態について、図３を用いて説明する。図３に示すように、本実施形態においては、第１の実施形態で示したくし型電極３に加え、もう一つくし型電極３ａがあり、この２つのくし型電極がかみ合った構造である。このくし型電極３ａも同様に櫛歯の付け根１１ａとなる部分に櫛歯１２ａが平行な隙間を介して複数配置されている。本実施形態では、この２つのくし型電極で第２電極を構成しており、これらの間で電位を同じに設定することで、どちらの電極上でもラジカルが生成できるようになる。櫛歯１２、１２ａの幅、及び櫛歯１２と櫛歯１２ａとの間隔は第１の実施形態と同程度が望ましい。櫛歯１２と櫛歯１２ａとの間のかみ合いは深ければ深いほど良いが、櫛歯１２と櫛歯１２ａとの間隔と同程度であることが望ましい。本実施形態でも第１の実施形態と同様な効果を得ることが可能である。
【００３７】
次に、第３の実施形態について、図４を用いて説明する。図４に示すように、本実施形態においては、くし型電極３の櫛歯１２ｂから交互に枝１３がさらに延びて、隣の枝１３とかみ合った構造をしている。このくし型電極３も同様に櫛歯の付け根１１ｂとなる部分に櫛歯１２ｂが平行な隙間を介して複数配置されている。第１の実施形態と比較して、さらに端部を多くしていることが特徴であり、発光効率が高くなる。一本の櫛歯１２ｂからはり出した枝１３の幅、及び枝１３の間隔は、第１の実施形態と同程度であることが望ましい。本実施形態でも第１の実施形態と同様な効果を得ることが可能である。
【００３８】
次に、第４の実施形態について、図５を用いて説明する。図５に示すように、本実施形態においては、第２の実施形態で示したような２つのくし型電極３、３ｄがかみ合った構造に加えて、１本の櫛歯１２ｃ、１２ｄが太い部分２１、２１ｄと細い部分２２、２２ｄで構成され、隣合う櫛歯１２ｃと櫛歯１２ｄとの間では細い部分２１と太い部分２２ｄ、細い部分２１ｄと太い部分２２とが隣り合うように並べられた構造をしている。これらのくし型電極３、３ｄも同様に櫛歯の付け根１１ｃ、１１ｄとなる部分に櫛歯１２ｃ、１２ｄが平行な隙間を介して複数配置されている。第１の実施形態と比較すると、さらに端部を多くしていることが特徴であり、発光効率が高くなる。細い部分２２ｃ、２２ｄは第１の実施形態の櫛歯１２と同程度の幅であることが望ましく、太い部分２１ｃ、２１ｄは第１の実施形態の櫛歯１２の３倍程度の幅であることが好ましい。細い部分２２ｃ、２２ｄ、太い部分２１ｃ、２１ｄは、夫々幅と幅の比がほぼ１：１であることが好ましい。本実施形態でも第１の実施形態と同様な効果を得ることが可能である。
【００３９】
次に、第５の実施形態について、図６を用いて説明する。図６に示すように、本実施形態においては、第２の実施形態で示したような２つのくし型電極３、３ｆがかみ合った構造に加えて、櫛歯１２ｅと櫛歯１２ｆの間隔が平行な直線ではなく、左右に何度も折れ曲がった、平行なジグザグ直線であり、櫛歯１２ｅと櫛歯１２ｆとが相互に補完するような形状となっている構成である。左右に折れ曲がる角度は櫛歯の付け根１１ｅ、１１ｆの方向に対して１０°から８０°程度であれば良いが、４５°から６０°程度が特に好ましい。これらのくし型電極３、３ｆも同様に櫛歯の付け根１１ｅ、１１ｆとなる部分に櫛歯１２ｅ、１２ｆが平行な隙間を介して複数配置されている。第１の実施形態と比較すると、さらに端部を多くしていることが特徴であり、発光効率が高くなる。櫛歯１２ｅ、１２ｆの左右の辺がジグザグ直線となっていることから、櫛歯１２ｅ、１２ｆは太い部分２１ｅ、２１ｆと細い部分２２ｅ、２２ｆとがあり、細い部分２２ｅ、２２ｆの幅は第１の実施形態の櫛歯１２程度の幅であることが好ましい。太い部分２１ｅ、２１ｆの幅は第１の実施形態の櫛歯１２の２倍程度の幅であることが好ましい。本実施形態でも第１の実施形態と同様な効果を得ることが可能である。
【００４０】
次に、第６の実施形態について、図７を用いて説明する。図７に示すように、本実施形態においては、第１の実施形態で示したような１つのくし型電極３の櫛歯１２が、第５の実施形態のように左右に何度も折れ曲がった、平行なジグザグ直線であるものである。隣り合う櫛歯１２は相互に補完するような形状となっており、隣り合う櫛歯１２で右に折れ曲がる部分３１と左に折れ曲がる部分３２とが同じように形成されることから常に一定の幅である。左右に折れ曲がる角度は、第５の実施形態と同様とすれば良い。このくし型電極３も同様に櫛歯の付け根１１となる部分に櫛歯１２が平行な隙間を介して複数配置されている。櫛歯１２の幅、間隔は第１の実施形態と同様にすることが好ましい。本実施形態でも第１の実施形態と同様な効果を得ることができる。
【００４１】
次に、第７の実施形態について、図８を用いて説明する。図８に示すように、本実施形態においては、第１の実施形態で示したような１つのくし型電極３の櫛歯１２が、第６の実施形態と同様な形状を保ちつつ、櫛歯の付け根１１とそれに垂直な第２の付け根４１から斜めに配置されているものである。本実施形態でも第１の実施形態と同様な効果を得ることができる。
【００４２】
次に、第８の実施形態について、図９を用いて説明する。図９に示すように、本実施形態においては、第２電極３の形状を網目状、つまりベタ電極に、四角形の電極のない部分５２が存在する構造とした点が第１の実施形態とは異なる。この網目、つまり電極のある部分５１（網目の網の部分）の周囲の大きさは、ほぼ画素の大きさとすればよい。そして、隣り合う電極のない部分５２（網目の目の部分）の間隔は、発光層５の厚さの半分程度から、発光層５の厚さの２倍程度が良く、さらには発光層５の厚さの半分から、発光層５の厚さと同程度が望ましい。例えば、発光層５の厚さが８μｍであった場合、隣り合う電極のない部分５２の間隔は４μｍ〜１６μｍが良く、さらには、４μｍ〜８μｍ程度が望ましい。また、電極のない部分５２の大きさは、隣り合う電極のない部分５２の間隔と同程度から５分の１が望ましい。例えば、隣り合う電極のない部分５２の間隔が、１０μｍであった場合、電極のない部分５２の大きさは２μｍから１０μｍ程度が良く、さらには、２μｍから５μｍ程度が望ましい。この場合にも、ベタ電極と比較して、端部が極めて多い構造になっており、第１の実施形態と同様な効果を得ることが出来る。なお、電極の無い部分５２の形状は、四角形の代わりに丸型や三角形でも良い。
【００４３】
次に、第９の実施形態について、図１０を用いて説明する。図１０に示すように、本実施形態では、網目状電極３の、目に当たる電極の無い部分が行方向には揃っているものの、列方向にはずれた、５２ａや５２ｂのような配置となっているものである。本実施形態においても、第１の実施形態と同様な効果を得ることができる。なお、本実施形態においても、電極の無い部分５２ａ、５２ｂの形状は、四角形の代わりに丸型や三角形でも良い。
【００４４】
以上に示した各実施形態は限定されるものではなく、種々組み合わせて用いることも出来る。
【図面の簡単な説明】
【００４５】
【図１】本発明の第１の実施形態に係る発光表示装置を示す断面図である。
【図２】本発明の第１の実施形態に係る発光表示装置の第２基板を示す平面図である。
【図３】本発明の第２の実施形態に係る発光表示装置の第２基板を示す平面図である。
【図４】本発明の第３の実施形態に係る発光表示装置の第２基板を示す平面図である。
【図５】本発明の第４の実施形態に係る発光表示装置の第２基板を示す平面図である。
【図６】本発明の第５の実施形態に係る発光表示装置の第２基板を示す平面図である。
【図７】本発明の第６の実施形態に係る発光表示装置の第２基板を示す平面図である。
【図８】本発明の第７の実施形態に係る発光表示装置の第２基板を示す平面図である。
【図９】本発明の第８の実施形態に係る発光表示装置の第２基板を示す平面図である。
【図１０】本発明の第９の実施形態に係る発光表示装置の第２基板を示す平面図である。
【符号の説明】
【００４６】
１…第２基板
２…第１基板
３、３ａ、３ｄ…第２電極（くし型電極、網目状電極）
４…第１電極（ベタ電極）
５…発光層
１１、１１ａ、１１ｂ、１１ｃ、１１ｄ、１１ｅ、１１ｆ…櫛歯の付け根
１２、１２ａ、１２ｂ、１２ｃ、１２ｄ、１２ｅ、１２ｆ…櫛歯
１３…枝
２１、２１ｄ、２１ｅ、２１ｆ…太い部分
２２、２２ｄ、２２ｅ、２２ｆ…細い部分
３１…右に折れ曲がる部分
３２…左に折れ曲がる部分
４１…第２の付け根
５１、５１ａ…電極のある部分
５２、５２ａ、５２ｂ…電極の無い部分
【図１】
2005294066.tif 000003
【図２】
2005294066.tif 000004
【図３】
2005294066.tif 000005
【図４】
2005294066.tif 000006
【図５】
2005294066.tif 000007
【図６】
2005294066.tif 000008
【図７】
2005294066.tif 000009
【図８】
2005294066.tif 000010
【図９】
2005294066.tif 000011
【図１０】
2005294066.tif 000012